(57)【要約】【課題】天然温泉水にも適用可能な二段加熱装置、及び、これを加熱水蒸気発生装置として用いた湿式又は半湿式サウナの提供。【解決手段】（１）水位センサーを設けた給水槽、温度センサーを設けた一次加熱部、二次加熱部、及び、制御部を有し、一次加熱部に、上方が開放され外側壁面に加熱部材を有する容器を備え、二次加熱部に、断熱絶縁材で被覆した管の外表面にスペーサーを介してワークコイルを巻き付けた電磁誘導加熱部材、又は、管の外表面に半導体発熱素子を付着させた加熱部材を備えた二段加熱装置。（２）二次加熱部の電磁誘導加熱部材を構成する管の中に、パンチングメタル板からなる発熱体Ａとパイプを複数本束ねた発熱体Ｂを交互に挿入した（１）記載の二段加熱装置。【選択図】図１
2010063620.tif 000002
【特許請求の範囲】
【請求項１】
水位センサーを設けた給水槽、温度センサーを設けた一次加熱部、二次加熱部、及び、制御部を有し、一次加熱部に、上方が開放され外側壁面に加熱部材を有する容器を備え、二次加熱部に、断熱絶縁材で被覆した管の外表面にスペーサーを介してワークコイルを巻き付けた電磁誘導加熱部材、又は、管の外表面に半導体発熱素子を付着させた加熱部材を備えた二段加熱装置。
【請求項２】
二次加熱部の電磁誘導加熱部材を構成する管の中に、パンチングメタル板からなる発熱体Ａとパイプを複数本束ねた発熱体Ｂを交互に挿入した請求項１記載の二段加熱装置。
【請求項３】
一次加熱部を構成する容器の下方を絞り、この絞った部分の外側壁面に加熱部材を設けた請求項１又は２記載の二段加熱装置。
【請求項４】
一次加熱部の加熱部材が、電磁誘導加熱部材又は半導体発熱素子を用いた加熱部材である請求項１〜３の何れかに記載の二段加熱装置。
【請求項５】
一次加熱部の電磁誘導加熱部材が、断熱絶縁材で被覆した管の外表面にスペーサーを介してワークコイルを巻き付けたものである請求項４記載の二段加熱装置。
【請求項６】
管状容器の中に、一次加熱部と二次加熱部を下から順に配置した請求項１〜５の何れかに記載の二段加熱装置。
【請求項７】
請求項１〜６の何れかに記載の二段加熱装置を加熱水蒸気発生装置として用いた湿式サウナ。
【請求項８】
乾式サウナに、請求項１〜６の何れかに記載の二段加熱装置を加熱水蒸気発生装置として付設した半湿式サウナ。
【発明の詳細な説明】
【技術分野】
【０００１】
本発明は、天然温泉水にも適用可能な二段加熱装置、及び、これを加熱水蒸気発生装置として用いたサウナに関する。
【背景技術】
【０００２】
一般的なサウナ施設では、ボイラーで発生させた水蒸気をサウナ室内に送っている。この場合、水蒸気の発生に伴うスケールの発生を抑制するため不純物の少ない水が用いられており、発生した水蒸気に含まれる不純物の量は非常に少ない。また、天然温泉水を用いた場合に発生するスケールの問題を解決する有効な手段がないため、通常の場合、天然温泉水を用いることは考慮の対象外となっている。
一方、天然温泉水に含まれているミネラル成分を大量に室内に充満させたと宣伝しているサウナ施設もある。このようなサウナ施設では、サウナ室内の床に、温水管を埋設したコンクリート層と、麦飯石などからなる薬石層を設け、薬石層に天然温泉水供給用の送水管を埋設し、温水管に送水した温水でコンクリート層を加熱して、薬石層に供給した天然温泉水を蒸発させている（特許文献１など）。しかし、温水加熱だけでミネラル成分が大量に水蒸気中に取り込まれるとは考えられないし、水蒸気中からミネラル成分が検出されたことを示すデータも開示されていない。更に、この方法は水蒸気の発生効率が悪い上に、天然温泉水にはミネラル成分が高濃度に溶存しており、送水管中でミネラル成分が凝集してスケールとなるため、頻繁に薬石層を交換しなければならず実用的とはいえない。
また、特許文献２には、人間の気浴にも使用できる蒸し庫に係る発明が開示されている。しかし天然温泉水に関する記述は見当たらず、当然ながら本発明が課題とする天然温泉水を用いた場合の種々の問題点及び解決手段については記載も示唆もされていない。
このように、天然温泉水にも適用可能な実用に適した加熱水蒸気発生装置について開示した文献は、本発明者等の知る限り存在しない。
【０００３】
【特許文献１】実用新案登録第３１０６３３７号公報
【特許文献２】特開２００５−１４４１４４号公報
【発明の開示】
【発明が解決しようとする課題】
【０００４】
本発明は、実現が難しいと考えられていた、天然温泉水にも適用可能な二段加熱装置、及び、これを加熱水蒸気発生装置として用いた湿式又は半湿式サウナの提供を目的とする。
【課題を解決するための手段】
【０００５】
上記課題は、次の１）〜８）の発明によって解決される。
１）  水位センサーを設けた給水槽、温度センサーを設けた一次加熱部、二次加熱部、及び、制御部を有し、一次加熱部に、上方が開放され外側壁面に加熱部材を有する容器を備え、二次加熱部に、断熱絶縁材で被覆した管の外表面にスペーサーを介してワークコイルを巻き付けた電磁誘導加熱部材、又は、管の外表面に半導体発熱素子を付着させた加熱部材を備えた二段加熱装置。
２）  二次加熱部の電磁誘導加熱部材を構成する管の中に、パンチングメタル板からなる発熱体Ａとパイプを複数本束ねた発熱体Ｂを交互に挿入した１）記載の二段加熱装置。
３）  一次加熱部を構成する容器の下方を絞り、この絞った部分の外側壁面に加熱部材を設けた１）又は２）記載の二段加熱装置。
４）  一次加熱部の加熱部材が、電磁誘導加熱部材又は半導体発熱素子を用いた加熱部材である１）〜３）の何れかに記載の二段加熱装置。
５）  一次加熱部の電磁誘導加熱部材が、断熱絶縁材で被覆した管の外表面にスペーサーを介してワークコイルを巻き付けたものである４）記載の二段加熱装置。
６）  管状容器の中に、一次加熱部と二次加熱部を下から順に配置した１）〜５）の何れかに記載の二段加熱装置。
７）  １）〜６）の何れかに記載の二段加熱装置を加熱水蒸気発生装置として用いた湿式サウナ。
８）  乾式サウナに、１）〜６）の何れかに記載の二段加熱装置を加熱水蒸気発生装置として付設した半湿式サウナ。
【０００６】
以下、上記本発明について図面を参照しつつ詳しく説明する。
本発明の二段加熱装置の一例を図１に示す。この例では、水位センサー（図示せず）を設けた給水槽、温度センサー（図示せず）を設けた一次加熱部、二次加熱部、及び制御部を備え、一次加熱部は、上方が開放され外側壁面に加熱部材を有する加熱水槽であり、該加熱水槽は配水管で給水槽と接続されている。また、加熱水槽と二次加熱部とは水蒸気用配管で接続されている。
そして、一次加熱部で発生させた１００〜１３０℃位の水蒸気を、二次加熱部に送り、少なくとも１７０℃、好ましくは４００〜６００℃位の加熱水蒸気を発生させるが、このとき、キャリーオーバー（固形成分の蒸気系統への持ち込み）現象により、天然温泉水中の成分、特にミネラル成分も水蒸気と共に二次加熱部に送られる。二次加熱部で発生した加熱水蒸気は、水蒸気出口から放出される。なお、加熱水槽の下方にある排水升は、加熱水槽を清掃し底に溜まったスケールを回収する際に用いる。また各部の部材は、腐食防止のため、後述する特定の材料を用いるものを除き、ＳＵＳ３０４、ＳＵＳ３１６Ｌなどのステンレス製とすることが望ましい。
【０００７】
ところで、従来の一般的な水蒸気発生装置には給水槽がなく、加熱水槽の中に水位センサーと温度センサーを設けているため、水位センサーにスケールが付着し誤作動の原因となっていた。そこで本発明では、加熱水槽の手前に給水槽を設け、給水槽に水位センサーを、加熱水槽（一次加熱部）に温度センサーを設ける。この構造であれば、給水槽の水温を８０℃程度に抑えることができ、水位センサーへのスケールの付着を殆ど無くすことができる。また給水槽に貯水できるため、加熱水槽を小さくすることが可能となり熱効率が向上する。
また、加熱水槽の形状は円筒又は直方体が一般的であるが（図２参照）、発生させる水蒸気量を増やそうとすると上面の面積を大きくする必要があり、その結果、水量が増えて加熱効率が悪くなる。そこで上面の面積を大きくすると同時に下方を絞り、この絞った部分の壁面に加熱部材を付設することが好ましい（図３参照）。これにより全体の水量と熱効率を維持したまま発生水蒸気量を増やすことが可能となる。
【０００８】
また、従来の一般的な加熱水槽では、熱効率を良くするため加熱水槽内の底に近い位置に加熱用パイプを設け、下から加熱していた。しかし、この構造ではパイプにスケールが付着し易く、また、構造的にパイプの点検やスケールの除去が困難であり、更に、パイプがあるため、加熱水槽の内部点検や交換などのメンテナンス作業が大変であった。
そこで、本発明では、図２に一例を示すように、加熱用パイプの代りに加熱水槽の外側壁面に加熱部材（図ではワークコイル）を付設した。この構造では、加熱水槽を壁面から加熱するため、加熱水槽の内側壁面にスケールが付着しても、加熱部材がオン状態にある時とオフ状態にある時のスケールとステンレスの熱膨張率の違いにより、容易に剥がれて水槽下部に落下する。また、加熱水槽内に付設部材が無いため、水槽のメンテナンス作業が容易となる。
上記加熱部材としては、制御し易いことから、電磁誘導加熱部材又は半導体発熱素子を用いた加熱部材が好ましい。しかし、必要に応じて他の加熱部材を用いても構わない。
【０００９】
二次加熱部の加熱部材としては、制御し易いことから電磁誘導加熱部材又は半導体発熱素子を用いた加熱部材を用いる。
半導体発熱素子を用いた加熱部材は、例えば、フリーダム社製の液状の半導体発熱素子（ホットノーブル）を、耐熱ガラス、絶縁処理した金属、樹脂などからなる板状物などに塗布又は印刷し、両端に電極を設けることにより容易に得ることができ、これを加熱対象物に貼り付けるなどして用いる。
しかし、公知の電磁誘導加熱部材の場合、発熱体の表面積を増やす目的でハニカム状にするなどの工夫はしているが、依然として、スケールの付着、材料の腐食、メンテナンス作業の効率などの点で問題があるため、次のような改良を行ったものを用いるとよい。
一つ目の改良点は、図４に一例を示したように、セラミックや金属などからなる細長い管を覆う断熱絶縁材の外表面にスペーサーを介してワークコイルを巻き付けたものを用いることである。この構造にすると、外表面にワークコイルを直接巻き付けた従来のものに比べて、外表面とワークコイルの間に空間が形成されるので、この空間に送風することにより、ワークコイルの効率低下や熱による断線を防止し、発火の危険性を減らすことができる。スペーサーはフッ素樹脂、セラミックなどで作製し、３〜１０ｍｍ程度の空間ができるように紐状や棒状などにして用いる。断熱絶縁材やワークコイルには特に限定はなく公知のものを用いればよい。例えば断熱絶縁材の材料としてはアルミナシリカなどが挙げられ、厚さは３〜１０ｍｍ程度とする。ワークコイルには一般にリッツ線が用いられる。
【００１０】
二つ目の改良点は、直径１〜８ｍｍ程度の穴を無数に開けた、直径２０〜１００ｍｍ、厚さ０．５〜１．５ｍｍ程度のパンチングメタル板からなる発熱体Ａと、直径６〜１３ｍｍ、長さ３０〜１５０ｍｍ程度のスティール又はステンレスなどからなるパイプを複数本（７〜１３本程度）束ねた発熱体Ｂを用意し、直径２５〜１００ｍｍ程度、長さ２００ｍｍ以上のセラミックや金属などからなる細長い管の中に、交互に挿入したものを用いることである（図５〜図６に一例を示す）。なお、細長い管の長さは、通常必要とされる蒸気排出量からみて２００ｍｍはあった方がよいが、設計に際しては、電磁誘導加熱部材の大きさに合わせて適宜決定すればよい。
この構造にすると、発熱体が多段に分割されているため交換が容易であり、メンテナンス作業の効率がよくなる。また、構成部材の構造が単純なためコストを安くできる。更に発熱体Ａと発熱体Ｂを組み合わせることにより水流に乱流を生じ、加熱装置内に水が滞留する時間を長くすることができるし、パイプの直径を可能な限り大きくすることによりスケールの発生を減らすこともでき、一次加熱部からの温泉成分のキャリーオーバー現象に起因する発熱体の目詰まりを低減できる。
なお、図５〜図６では発熱体Ｂを３個用いた例を示したが、必要に応じて数を増やしてもよい。また、発熱体Ａは図５（ｄ）（ｅ）のように、１枚づつばらばらで用いてもよいが、発熱体Ｂの長さに見合うように２枚を適当な幅で接合して用いれば一層取り扱い易くなる〔図５（ｆ）参照〕。
【００１１】
上記一つ目と二つ目の改良点を併せて、発熱体Ａや発熱体Ｂを挿入した細長い管を断熱絶縁材で覆い、その外表面にスペーサーを介してワークコイルを巻き付けた電磁誘導加熱部材を用いることが特に好ましい。
上記改良点の他に、最初に発熱体を加熱したとき、発熱体表面に酸化第一鉄皮膜が形成されるが、発熱体表面全体を満遍なく酸化させるため、発熱体が存在する部分の長さを、ワークコイルを巻き付けた部分の長さよりも短くするとよい。好ましくは４分の３以下の長さとする。これにより、起動や停止時に起きるドレン化した水蒸気による発熱体の腐食（二酸化炭素がドレンに溶け込みｐＨが低下して起きる腐食）を低減することができる。
更に図１では、一次加熱部の加熱水槽と二次加熱部を水蒸気用配管で接続した例を示したが、一次加熱部内でのフォーミング現象による弊害を防ぐため、水蒸気用配管の途中の径を拡大するなどして膨張室を設けることが好ましい。拡大部の最大径は、通常、水蒸気用配管径の２〜４倍程度とする。
制御部は、加熱状態の制御、水位センサー、温度センサーの動作管理などが主な仕事であり、公知のリレー制御装置やアナログ制御装置などを適宜転用すればよい。なお、電磁誘導加熱を行うには、当然ながら、電磁誘導加熱部材の他に電磁誘導加熱装置本体を必要とするが、これも公知のものを転用し、適当な位置に配置すればよい（図１参照）。
【００１２】
本発明の二段加熱装置の他の例を図７に示す。この例では、セラミックなどからなる細長い管状容器の中に、一次加熱部と二次加熱部を下から順に配置し、一次加熱部と給水槽を配水管で連結している。制御部は適宜付設すればよい。一次加熱部には、図４に示した電磁誘導加熱部材や前述した半導体発熱素子を用いた加熱部材など用いることができる。二次加熱部には、例えば図４〜図６に示したのと同じものを用いることができる。また、一次加熱部に点線で示した水位は、給水槽から送られる水の水位である。なお、管状容器は図７のような円筒状のほかに、断面が矩形のものを用いることもできる。
この例の場合、装置を非常にコンパクトにできるため、小型の二段加熱装置に最適である。
【００１３】
本発明の二段加熱装置は天然温泉水を用いたサウナ、特に低温スチームサウナ（湿式サウナ）に好適である。好ましいサウナ室の大きさは縦３〜５ｍ、横３〜５ｍ、高さ２〜２．５ｍ程度である。サウナ室の室温は、４１〜４５℃に制御する。最適温度は４２〜４４℃であるが、夏は４１℃、冬は４５℃が好ましい。天然温泉水は定期的に供給する。導入可能な施設としては、銭湯、ゴルフ場、ホテル、旅館、病院、デイケア・福祉・養護施設、スポーツクラブ、エステサロン、企業の福利厚生施設などが挙げられる。
このスチームサウナの場合、従来のサウナと比べて次のような特徴や利点がある。
（１）装置の構成はシンプルで、操作も簡単である。
（２）天然温泉水を瞬時に４００〜６００℃位の高温にまで加熱し、超微粒子状の水蒸気をサウナ室に送り込むことができる。気化しているので、粒子の大きさが従来のミストサウナの水分子クラスターに比べて非常に小さい。また、天然温泉の成分が含まれる水蒸気であるため、健康増進効果が期待できる。
（３）サウナ室内は、従来のミストサウナのようにビシャビシャではなく、透明感があり息苦しさのない爽やかな空間となる。
（４）暑苦しくて高温サウナに入れない人、高血圧、心臓病、糖尿病等の人でも入れる。
（５）水分の付着や発汗が早く、入浴時間１０〜２０分程度で十分に汗が出る。
（６）迅速な水分付着と発汗量の多さにより実際に温泉に入浴している気分になれる。
（７）１回の入浴（入室は１〜２回）で２００〜８００ｇ減量できる。
（８）入浴後の肌のベトツキ感がなく、さっぱりしている。
（９）入浴後のポカポカ感が長続きする。
（１０）サウナ室内には、マイナスイオンが、自然界で最も多いと言われている滝壺付近の１０〜１８倍充満している。温熱効果、温泉成分効果に加えて、マイナスイオンの持つ、精神安定、血液浄化、免疫力向上、アレルギー体質改善などの効果が期待できる。
（１１）肌の保水力が持続し肌がツルツルになる、肌のたるみやシミがなくなる、吹き出物が減少する、化粧ののりが良くなる、化粧落としが楽になるなどの美容効果がある。
（１２）疲労回復、ストレス解消、身体のスリム化、冷え性の改善、血圧の正常化、アトピーや各種痛みの緩和・軽減などの健康効果が確認されている。
【００１４】
更に、通常の乾式サウナ（室内温度約８０℃以上）の室内温度を５０〜６０℃に設定し、本発明の二段加熱装置により加湿して湿度を４０〜６０％に制御すると（この態様を半湿式サウナと呼ぶことにする）、前述した湿式サウナの特徴である発汗作用が高い、肌がすべすべする、保温効果が高いなどの効果を維持したままで、通常の乾式サウナに比べて温度を低くすることができ、刺激が少なく、喉がひりひりするようなこともなく、呼吸がしやすくなる。また、既存の乾式サウナ施設を大幅に改造することなく、体感的には乾式サウナの雰囲気を残しながら、乾式サウナで行われている通常の蒸気による加湿に比べて結露が起きにくく、べとつきが少ないサウナとすることができる。
【発明の効果】
【００１５】
本発明によれば、実現が難しいと考えられていた、天然温泉水にも適用可能な二段加熱装置、及び、これを加熱水蒸気発生装置として用いた湿式又は半湿式サウナを提供できる。
【実施例】
【００１６】
以下、実施例及び比較例により本発明を更に具体的に説明するが、本発明は、これらの実施例により限定されるものではない。
【００１７】
実施例１
図１に示す配置の二段加熱装置を次のようにして作製した。材料を特定しない部材は、全てステンレス（ＳＵＳ３０４）製とした。
＜一次加熱部の作製＞
直方体形状の給水槽〔容積３０Ｌ（リットル）〕の上部に水位センサー〔理光産業社製：フロート式レベルスイッチ（ＭＦＳ９Ｓ−Ｎ１−２）〕を取り付け、同じく直方体形状の加熱水槽（容積３０Ｌ）の上部に温度センサー（オムロン社製：Ｋ熱電対温度センサー）を取り付け、両者を配管でつないだ。加熱水槽の左右外側側面には加熱部材として電磁誘導加熱用のワークコイル〔富士電機機器制御社製：誘導加熱（ＩＨ）インバータ（ＨＦＲ．５．０  Ｃ１１Ｋ−２）〕を付設した。また、加熱水槽の上部には、水蒸気を二次加熱部に送るための配管を設けた。
＜二次加熱部の作製＞
直径２ｍｍの穴を無数に開けた直径５０ｍｍ、厚さ１ｍｍのパンチングメタル板からなる発熱体Ａと、直径１０ｍｍ、長さ１００ｍｍのスティール製パイプを１３本束ねた発熱体Ｂを用意し、直径５５ｍｍ、長さ４５０ｍｍのセラミック管（ニッカトー社製：ＳＵＮ−１１）の中に、発熱体Ａを４枚、発熱体Ｂを３束、交互に挿入した。
次いで、セラミック管の周囲を厚さ４ｍｍのアルミナシリカ製断熱絶縁材（ニチアス社製：インサルテッククロス）で覆い、その外側に、フッ素樹脂（商品名：バイトン）からなる直径５ｍｍの棒状のスペーサーを介して、ワークコイル（立売堀製作所製：電磁誘導加熱コイル）を巻き付け電磁誘導加熱部材を作製した。巻き付けた部分の長さは約４００ｍｍとした。
続いて、電磁誘導加熱部材の上部に、一次加熱部から送られてくる水蒸気を受け入れるための配管を設け、電磁誘導加熱部材の下方に、水蒸気用配管を介して加熱水蒸気の出口を設けた。
＜全体の組み立て＞
上記一次加熱部と二次加熱部を隣接して配置し、更に、制御部として、リレー制御装置（自社製の制御盤）を配置すると共に、電磁誘導加熱装置本体を配置して、本発明の二段加熱装置を得た。
【００１８】
実施例２
実施例１の加熱水槽を、上面の面積が実施例１よりも広く、直方体の下から約３分の２を絞った形状（容積は同じ）の加熱水槽に変えた点以外は、実施例１と同様にして本発明の二段加熱装置を得た。
【００１９】
実施例３
セラミック管の中に発熱体Ａ及び発熱体Ｂを挿入することなく電磁誘導加熱部材を作製した点以外は、実施例１と同様にして本発明の二段加熱装置を得た。
【００２０】
実施例４
実施例１で用いた加熱水槽に代えて、フリーダム社製の半導体発熱素子（ホットノーブル）を塗布した縦４００ｍｍ、横４００ｍｍ、厚さ５ｍｍの板状の耐熱ガラス（日本電気硝子製ネオセラム）を、ネジと金具により左右外側側面に貼り付けた加熱水槽を用いた点以外は、実施例１と同様にして本発明の二段加熱装置を得た。
【００２１】
実施例５
外表面を鉄粉溶射により表面処理した外径１０１．６ｍｍ、長さ３００ｍｍのＳＵＳ３１６Ｌパイプの周囲を、アルミナシリカ製断熱絶縁材（ニチアス社製：インサルテッククロス）で覆い、その外側にマイカ製の直径５ｍｍの棒状スペーサーを介して、ワークコイル（立売堀製作所製：電磁誘導加熱コイル）を巻き付け、電磁誘導加熱部材を作製した。
実施例１の加熱水槽の加熱部材に代えて、上記電磁誘導加熱部材を用いた点以外は、実施例１と同様にして本発明の二段加熱装置を得た。
【００２２】
実施例６
直径５５ｍｍ、長さ４５０ｍｍのセラミック管（ニッカトー社製：ＳＵＮ−１１）内の下部に、外表面を鉄粉溶射により表面処理した外径３４ｍｍ、長さ１４７ｍｍのＳＵＳ４３０パイプを設置して一次加熱部とし、その上に、実施例１で用いたのと同じ発熱体Ａを３枚、発熱体Ｂを２束、交互に設置して二次加熱部とし、次いで、セラミック管の周囲を厚さ４ｍｍのアルミナシリカ製断熱絶縁材（ニチアス社製：インサルテッククロス）で覆い、その外側に、フッ素樹脂（商品名：バイトン）からなる直径５ｍｍの棒状のスペーサーを介して、ワークコイル（立売堀製作所製：電磁誘導加熱コイル）を巻き付け電磁誘導加熱部材を作製した。巻き付けた部分の長さは約４００ｍｍとした。
次に、上部に水位センサー〔理光産業社製：フロート式レベルスイッチ（ＭＦＳ９Ｓ−Ｎ１−２）〕を取り付けた直方体形状の給水槽〔容積３０Ｌ（リットル）〕と一次加熱部を配水管で接続するとともに、一次加熱部に温度センサー（オムロン社製：Ｋ熱電対温度センサー）を取り付けた。更に、実施例１と同じ制御部及び電磁誘導加熱装置本体を配置して、本発明の二段加熱装置を得た。（図７参照、但し、断熱材、スペーサー、ワークコイルは図示せず）
【００２３】
実施例７
実施例１と実施例２の二段加熱装置を用い、一次加熱部及び二次加熱部の電磁誘導加熱の出力を各々１０ｋＷと３ｋＷに固定し、水蒸気出口温度を４５０℃に制御して、広さ１２ｍ２、容積約３０ｍ３のサウナ室に加熱水蒸気を放出した。
その結果、室内温度が４４℃に達するまでの時間は、実施例１の場合が１時間４５分〜２時間、実施例２の場合が１時間〜１時間２５分となり、実施例２の装置の方が約４５分速かった。
【００２４】
実施例８
下記〔表１〕に示す水質の天然温泉水を用いてスチームサウナ施設を稼動させた。なお、水質検査は、福岡県保健環境研究所に依頼して行った。
まず、実施例１の二段加熱装置を用い、一次加熱部及び二次加熱部の電磁誘導加熱の出力を各々１０ｋＷと３ｋＷに固定し、水蒸気出口温度を４５０℃に制御して、広さ１２ｍ２、容積約３０ｍ３のサウナ室に加熱水蒸気を放出した。
３０日間運転を行い、６日目〜１３日目の間は連続無休運転とし、それ以外の期間は、午前９時〜午後６時までの９時間運転とした。
その結果、業務に支障を来すようなスケール付着による障害は発生しなかった。
【００２５】
実施例９
実施例２〜６の二段加熱装置を用い、運転時間を変えた点以外は、実施例８と同様にして、スチームサウナ施設を稼動させた。
運転時間は、午前４時〜午後８時、午後９時〜午前３時の２２時間とし、午前３時〜４時の間に清掃（スケールの回収及び排水）と点検を行った。使用温泉水量は約２００Ｌ／日である。
その結果、どの二段加熱装置も業務に支障を来すようなスケール付着による障害は発生せず、運転開始から１２ヶ月以上経過しても順調に稼動できた。
【００２６】
実施例１０
メトス製サウナヒーターを用いて室内温度を５０〜６５℃に調整し、実施例２〜６の二段過熱装置を用いて湿度を５０〜６０％の間で調整し、運転時間を午前８時〜午後６時で試験を行なった。
その結果、この半湿式サウナでは、湿式サウナの特徴（発汗作用が高い、肌がすべすべする、保温効果が高い）を維持することができ、通常の乾式サウナに比べて温度が低いため、刺激が少なく、喉がひりひりするようなこともなく、呼吸がしやすくなった。また、体感的には乾式サウナの雰囲気を残しながら、乾式サウナで行われている通常の蒸気による加湿に比べて結露が起きにくく、べとつきが少ないサウナとすることができた。
【００２７】
【表１】
2010063620.tif 000003
【図面の簡単な説明】
【００２８】
【図１】本発明の二段加熱装置の一例を示す図。（ａ）正面図、（ｂ）平面図、（ｃ）左側面図。
【図２】本発明の一次加熱部の一例を示す図。（ａ）正面図、（ｂ）平面図、（ｃ）左側面図。
【図３】本発明の一次加熱部の他の例を示す図。（ａ）正面図、（ｂ）平面図、（ｃ）左側面図。
【図４】本発明の二次加熱部の電磁誘導加熱部材の一例を示す図。（ａ）外観図、（ｂ）Ｘ−Ｘ断面図。
【図５】発熱体Ａ、発熱体Ｂの構造を示す図。（ａ）〜（ｃ）発熱体Ｂ、（ｄ）（ｅ）発熱体Ａを一枚ずつばらばらで使う場合。（ｆ）発熱体Ａを２枚接合して使う場合。
【図６】発熱体Ａ、発熱体Ｂをセラミック管に挿入した状態を示す図。
【図７】本発明の二段加熱装置の他の例を示す図。（ａ）全体の概要図、（ｂ）一次加熱部及び二次加熱部の電磁誘導加熱部材の構造を説明する図。
【図１】
2010063620.tif 000004
【図２】
2010063620.tif 000005
【図３】
2010063620.tif 000006
【図４】
2010063620.tif 000007
【図５】
2010063620.tif 000008
【図６】
2010063620.tif 000009
【図７】
2010063620.tif 000010